(57)【特許請求の範囲】
【請求項１】
第１の光ファイバ端末に取り付けられた第１のフェルールが収容される第１のハウジングと、前記第１のハウジングに取り付けられるスペーサと、を備え、前記第１のハウジングに相手方光コネクタの第２のハウジングが嵌合すると、前記第１の光ファイバと、前記第２のハウジングに収容される第２のフェルールが取り付けられた第２の光ファイバと、の先端同士が対向する光コネクタにおいて、
前記スペーサは、前記第１のフェルールに係止し、前記第１の光ファイバの長手方向に沿った前記第１のフェルールの移動を規制する第１の規制部と、前記第２のフェルールに係止し、前記長手方向に沿った前記第２のフェルールの移動を規制する第２の規制部と、を有する
ことを特徴とする光コネクタ。
【請求項２】
前記スペーサは、前記第１のハウジングの前記長手方向と直交する側を覆うベース部を有し、
前記第１の規制部及び前記第２の規制部は、前記ベース部から立設されている
ことを特徴とする請求項１に記載の光コネクタ。
【請求項３】
前記スペーサは、前記第１のハウジングに係止する係止アームを有し、
前記係止アームは、前記ベース部から立設されている
ことを特徴とする請求項２に記載の光コネクタ。
【請求項４】
互いに嵌合し、第１の光ファイバ及び第２の光ファイバ端末に取り付けられた第１のフェルール及び第２のフェルールがそれぞれ収容される第１のハウジング及び第２のハウジングと、前記第１のハウジングに取り付けられるスペーサと、を備え、前記第１のハウジングと前記第２のハウジングとが嵌合すると、前記第１の光ファイバと前記第２の光ファイバとの先端同士が対向する光コネクタアセンブリにおいて、
前記スペーサは、前記第１のフェルールに係止し、前記第１の光ファイバの長手方向に沿った前記第１のフェルールの移動を規制する第１の規制部と、前記第２のフェルールに係止し、前記長手方向に沿った前記第２のフェルールの移動を規制する第２の規制部と、を有する
ことを特徴とする光コネクタアセンブリ。
【発明の詳細な説明】
【技術分野】
【０００１】
本発明は、光コネクタ及び光コネクタアセンブリに関するものである。
【背景技術】
【０００２】
上述した光コネクタとしては、例えば特許文献１に記載されたものが提案されている。上述した光コネクタは、光ファイバ端末に取り付けられたフェルールを収容するハウジングを有し、相手方光コネクタに嵌合すると、光ファイバと相手方光ファイバの先端同士が当接して接続する。また、フェルールを相手方光コネクタに向かって付勢するバネをハウジングに収容し、光ファイバ同士の接続を良好にしている。
【０００３】
しかしながら、上述した光コネクタでは、相手方光コネクタと嵌合した後、光ファイバに相手方光コネクタから離れる方向に向かってテンションがかかると、バネの反発力で押え付けられているだけのため、テンションによりバネが撓み、光ファイバ先端同士の当接面に大きな隙間ができる。隙間が発生することにより、安定した光通信が確保されず機器のさまざまな不具合につながる、という問題があった。
【先行技術文献】
【特許文献】
【０００４】
【特許文献１】特開２０１４−４８４０８号公報
【発明の概要】
【発明が解決しようとする課題】
【０００５】
そこで、本発明は、光ファイバ先端同士の接続を安定して良好に保つことができる光コネクタ及び光コネクタアセンブリを提供することを課題とする。
【課題を解決するための手段】
【０００６】
上述した課題を解決するための請求項１記載の発明は、第１の光ファイバ端末に取り付けられた第１のフェルールが収容される第１のハウジングと、前記第１のハウジングに取り付けられるスペーサと、を備え、前記第１のハウジングに相手方光コネクタの第２のハウジングが嵌合すると、前記第１の光ファイバと、前記第２のハウジングに収容される第２のフェルールが取り付けられた第２の光ファイバと、の先端同士が対向する光コネクタにおいて、前記スペーサは、前記第１のフェルールに係止し、前記第１の光ファイバの長手方向に沿った前記第１のフェルールの移動を規制する第１の規制部と、前記第２のフェルールに係止し、前記長手方向に沿った前記第２のフェルールの移動を規制する第２の規制部と、を有することを特徴とする光コネクタに存する。
【０００７】
請求項２記載の発明は、前記スペーサは、前記第１のハウジングの前記長手方向と直交する側を覆うベース部を有し、前記第１の規制部及び前記第２の規制部は、前記ベース部から立設されていることを特徴とする請求項１に記載の光コネクタに存する。
【０００８】
請求項３記載の発明は、前記スペーサは、前記第１のハウジングに係止する係止アームを有し、前記係止アームは、前記ベース部から立設されていることを特徴とする請求項２に記載の光コネクタに存する。
【０００９】
請求項４記載の発明は、互いに嵌合し、第１の光ファイバ及び第２の光ファイバ端末に取り付けられた第１のフェルール及び第２のフェルールがそれぞれ収容される第１のハウジング及び第２のハウジングと、前記第１のハウジングに取り付けられるスペーサと、を備え、前記第１のハウジングと前記第２のハウジングとが嵌合すると、前記第１の光ファイバと前記第２の光ファイバとの先端同士が対向する光コネクタアセンブリにおいて、前記スペーサは、前記第１のフェルールに係止し、前記第１の光ファイバの長手方向に沿った前記第１のフェルールの移動を規制する第１の規制部と、前記第２のフェルールに係止し、前記長手方向に沿った前記第２のフェルールの移動を規制する第２の規制部と、を有することを特徴とする光コネクタアセンブリに存する。
【発明の効果】
【００１０】
以上説明したように請求項１及び４記載の発明によれば、スペーサにより、第１のフェルール及び第２のフェルールを一括係止することにより、光ファイバ先端同士は常に一定の距離をキープでき、光ファイバ先端同士の接続を安定して良好に保つことができる。
【００１１】
請求項２記載の発明によれば、ベース部から第１の規制部及び第２の規制部を立設させるだけで、簡単な構成で第１の規制部及び第２の規制部を一体に設けることができる。
【００１２】
請求項３記載の発明によれば、ベース部から係止アームを立設させるだけで、簡単な構成で係止アームを設けることができる。
【図面の簡単な説明】
【００１３】
【図１】本発明の光コネクタを組み込んだ光コネクタアセンブリの一実施形態を示す分解斜視図である。
【図２】（Ａ）は図１に示すオスハウジング、メスハウジングにフェルールを挿入する前の横断面図であり、（Ｂ）はオスハウジング、メスハウジングにフェルールを挿入した後の断面図である。
【図３】（Ａ）はオスハウジング、メスハウジングの嵌合前の縦断面図であり、（Ｂ）はオスハウジング、メスハウジングの嵌合後の縦断面図である。
【図４】（Ａ）はメスハウジングにスペーサを仮係止したときの斜視図であり、（Ｂ）は（Ａ）の側面図であり、（Ｃ）はメスハウジングにスペーサを本係止したときの側面図である。
【図５】（Ａ）はメスハウジングにスペーサを本係止したときの縦断面図であり、（Ｂ）は（Ａ）のＸ部拡大図である。
【発明を実施するための形態】
【００１４】
以下、本発明の光コネクタアセンブリ及び光コネクタについて図１〜図５を参照して説明する。光コネクタアセンブリ１は、光コネクタとしてのメスコネクタ２と、相手方光コネクタとしてのオスコネクタ３と、を備えている。
【００１５】
メスコネクタ２は、第１の光ファイバとしてのプラスチック光ファイバ（ＰＯＦ：Plastic Optical Fiber)２１と、ＰＯＦ２１先端に取り付けられた第１のフェルールとしてのフェルール２２と、フェルール２２先端に取り付けられるスリットスリーブ２３と、フェルール２２を収容する第１のハウジングとしてのメスハウジング２４と、メスハウジング２４に取り付けられるスペーサ２５と、を備えている。
【００１６】
ＰＯＦ２１は、図１に示すように、芯線２１Ａと、芯線２１Ａを覆う被覆部２１Ｂと、から構成されている。ＰＯＦ２１先端は、被覆部２１Ｂが除かれ、芯線２１Ａが露出されている。
【００１７】
フェルール２２は、円筒状の本体部２２Ａと、本体部２２Ａの外側面から突出された環状の鍔部２２Ｂと、を有している。本実施形態では、鍔部２２Ｂは、ＰＯＦ２１の長手方向Ｙ１に沿って３つ並べて突設されている。鍔部２２Ｂは、略円状に設けられ、ＰＯＦ２１の並び方向Ｙ２両側が切り欠かれた形状となっている。フェルール２２には、図２に示すように、内部にＰＯＦ２１先端の芯線２１Ａが通されて、接着剤等により固定されている。このとき、フェルール２２先端面とＰＯＦ２１先端面とは同一平面上に配置される。
【００１８】
図１に示すように、スリットスリーブ２３は、円筒状に形成され、長手方向Ｙ１に沿ったスリット２３Ａが形成されている。図２などに示すように、スリットスリーブ２３は、その内部にフェルール２２先端が挿入される。このとき、スリットスリーブ２３先端面は、フェルール２２及びＰＯＦ２１先端面よりもオスコネクタ３側に配置される。
【００１９】
図１に示すように、本実施形態においてメスハウジング２４には、２つのフェルール２２が収容される。メスハウジング２４は、後述するオスコネクタ３が収容されるオスコネクタ収容部２４Ａと、フェルール２２が収容されるフェルール収容部２４Ｂと、が長手方向Ｙ１に沿って連結して設けられている。図２などに示すように、このオスコネクタ収容部２４Ａ及びフェルール収容部２４Ｂとの間には、互いを仕切る仕切壁２４Ｃが設けられている。
【００２０】
オスコネクタ収容部２４Ａは、図１に示すように、四角筒状に設けられている。オスコネクタ収容部２４Ａには、長手方向Ｙ１及び並び方向Ｙ２の双方と直交する直交方向Ｙ３の一方側の壁部に後述するスペーサ２５の第２の規制部２５Ｄが挿入される挿入孔２４Ｄが形成されている。挿入孔２４Ｄは、並び方向Ｙ２に沿って長尺に設けられている。
【００２１】
また、オスコネクタ収容部２４Ａには、図３に示すように、直交方向Ｙ３の他方側の壁部に後述するオスハウジング３３と嵌合する係止突起２４Ｅが設けられている。係止突起２４Ｅは、オスコネクタ収容部２４Ａにおいて長手方向Ｙ１のオスコネクタ３側端部に設けられている。
【００２２】
フェルール収容部２４Ｂは、図１及び図３などに示すように、直交方向Ｙ３一方側の壁部が開口された四角筒状に設けられている。フェルール収容部２４Ｂは、図１及び図２に示すように、フェルール２２の並び方向Ｙ２両側の壁部にフェルール２２を係止する一対の係止アーム２４Ｆが設けられている。
【００２３】
一対の係止アーム２４Ｆは各々、長手方向Ｙ１に沿って延在し、その一端がフェルール収容部２４Ｂに固定され、他端が自由端となる片持ち構造に構成され、並び方向Ｙ２に可撓に設けられている。係止アーム２４Ｆの自由端には、図２などに示すように、フェルール収容部２４Ｂ内部に向かって突出する係止突起２４Ｇが設けられ、係止突起２４Ｇがフェルール２２の鍔部２２Ｂに係止する。
【００２４】
また、フェルール収容部２４Ｂは、図１などに示すように、並び方向Ｙ２の両側の壁部に後述するスペーサ２５に係止する一対の係止孔２４Ｈが設けられている。一対の係止孔２４Ｈは各々、直交方向Ｙ３に沿って長尺に設けられている。係止孔２４Ｈは、一対の係止アーム２４Ｆよりもオスコネクタ３側に設けられている。
【００２５】
また、フェルール収容部２４Ｂにおいて、直交方向Ｙ３他方側の壁部には鍔部２２Ｂの直交方向Ｙ３他方側が長手方向Ｙ１に沿ってスライド自在に嵌め込まれる一対の溝部２４Ｉが形成されている。一対の溝部２４Ｉはそれぞれ、断面円弧状に形成され、長手方向Ｙ１に沿って延在すると共に、並び方向Ｙ２に並んで形成されている。
【００２６】
仕切壁２４Ｃには、図２などに示すように、フェルール２２先端を通す通し孔２４Ｊが設けられ、通し孔２４Ｊの周縁からオスコネクタ収容部２４Ａに向かって立設する筒壁部２４Ｋが設けられている。この筒壁部２４Ｋ内にフェルール２２先端に取り付けられたスリットスリーブ２３が長手方向Ｙ１に沿ってスライド自在に嵌め込まれる。
【００２７】
次に、スペーサ２５の構成について説明をする前にオスコネクタ３の構成について説明する。オスコネクタ３は、図１などに示すように、第２の光ファイバとしてのＰＯＦ３１と、ＰＯＦ３１先端に取り付けられた第２のフェルールとしてのフェルール３２と、フェルール３２を収容する第２のハウジングとしてのオスハウジング３３と、を備えている。
【００２８】
ＰＯＦ３１は、ＰＯＦ２１と同様に芯線３１Ａと、芯線３１Ａを覆う被覆部３１Ｂと、から構成されている。ＰＯＦ３１先端は、被覆部３１Ｂが除かれ芯線３１Ａが露出されている。
【００２９】
フェルール３２は、フェルール２２と同様に円筒状の本体部３２Ａと、本体部３２Ａの外側面から突出された環状の鍔部３２Ｂと、を有している。本実施形態では、鍔部３２Ｂは、長手方向Ｙ１に沿って３つ並べて突設されている。フェルール３２には、図２に示すように、内部にＰＯＦ３１先端の芯線３１Ａが通されて、接着剤等により固定されている。このとき、フェルール３２端面とＰＯＦ３１先端面とは同一平面上に配置されている。
【００３０】
図１に示すように、オスハウジング３３には、フェルール３２先端を収容する先端収容部３３Ａと、フェルール３２の鍔部３２Ｂよりも後端側を収容する後端収容部３３Ｂと、が長手方向Ｙ１に沿って並べて設けられている。図１に示すように、本実施形態において、オスハウジング３３には、メスハウジング２４と同様に２つのフェルール３２が収容される。このため、先端収容部３３Ａ及び後端収容部３３Ｂには、２つのフェルール３２を収容する２つの収容孔３３Ｃが長手方向Ｙ１に貫通して設けられている。
【００３１】
先端収容部３３Ａは、図３（Ｂ）に示すように、上述したオスコネクタ収容部２４Ａ内に長手方向Ｙ１に沿ってスライド自在に嵌め込まれると共に、その収容孔３３Ｃ内に筒壁部２４Ｋがスライド自在に嵌め込まれる。即ち、先端収容部３３Ａの先端側に形成された収容孔３３Ｃの内径は、筒壁部２４Ｋ外径とほぼ同じか少し大きく設けられている。
【００３２】
この先端収容部３３Ａの後端側に形成された収容孔３３Ｃの内径は先端側よりも小さく設けられ、フェルール３２の本体部３２Ａが長手方向Ｙ１に沿ってスライド自在に嵌め込まれる。即ち、先端収容部３３Ａの後端側に形成された収容孔３３Ｃの内径は、本体部３２Ａの外径とほぼ同じか少し大きく設けられている。また、先端収容部３３Ａの垂直方向Ｙ３他方側の壁部には、メスコネクタ２の係止突起２４Ｅと係止する係止突起３３Ｅが外側に向かって突設されている。
【００３３】
図２などに示すように、後端収容部３３Ｂには、並び方向Ｙ２両側の壁部にフェルール３２に係止する一対の係止アーム３３Ｆが設けられている。一対の係止アーム３３Ｆは各々、長手方向Ｙ１に沿って延在し、その一端が後端収容部３３Ｂに固定され、他端が自由端となる片持ち構造に構成され、並び方向Ｙ２に可撓に設けられている。係止アーム３３Ｆの自由端は、後端収容部３３Ｂ内部に向かって突出する係止突起３３Ｇが設けられ、係止突起３３Ｇがフェルール３２の鍔部３２Ｂに係止する。また、図３などに示すように、後端収容部３３Ｂの垂直方向Ｙ３一方側には、後述するスペーサ２５の第２の規制部２５Ｄが挿入される挿入孔３３Ｈが形成されている。
【００３４】
次に、メスコネクタ２を構成するスペーサ２５の構成について話を戻す。図１に示すように、スペーサ２５は、メスハウジング２４の直交方向Ｙ３一方側を覆う略板状のベース部２５Ａと、ベース部２５Ａから直交方向Ｙ３に立設した仕切壁２５Ｂ、第１の規制部２５Ｃ、第２の規制部２５Ｄ及び一対の係止アーム２５Ｅと、を備えている。
【００３５】
ベース部２５Ａは、オスコネクタ収容部２４Ａの鉛直方向Ｙ３一方側の壁部及びフェルール収容部２４Ｂの鉛直方向Ｙ３一方側に設けた開口を覆うように設けられている。また、ベース部２５Ａにおいて、フェルール収容部２４Ｂの開口を覆う部分には、鍔部２２Ｂの直交方向Ｙ３一方側が長手方向Ｙ１に沿ってスライド自在に嵌め込まれる一対の溝部２５Ａ１が形成されている。一対の溝部２５Ａ１はそれぞれ、断面円弧状に形成され、長手方向Ｙ１に沿って延在すると共に、並び方向Ｙ２に並んで形成されている。
【００３６】
仕切壁２５Ｂは、一対の溝部２５Ａ１、２５Ａ１の間から立設し、長手方向Ｙ１に延在する。仕切壁２５Ｂは、フェルール収容部２４Ｂをフェルール２２の数に仕切る壁部である。本実施形態では仕切壁２５Ｂは１つ設けられ、フェルール収容部２４Ｂを２つに仕切り、仕切壁２５Ｂによって仕切られた空間にそれぞれフェルール２２が１つずつ収容される。
【００３７】
第１の規制部２５Ｃは、フェルール２２に係止し、長手方向Ｙ１に沿ったフェルール２２の移動を規制する。第１の規制部２５Ｃは、仕切壁２５Ｂ及び溝部２５Ａ１から突出して設けられ、図５に示すようにスペーサ２５が本係止位置に係止されると、３つの鍔部２２Ｂのうち長手方向Ｙ１のオスコネクタ３側の２つの間に挿入され、その２つの鍔部２２Ｂに係止する。
【００３８】
第２の規制部２５Ｄは、後述するオスコネクタ３に収容されるフェルール３２に係止し、長手方向Ｙ１に沿ったフェルール３２の移動を規制する。図１に示すように、第２の規制部２５Ｄは、並び方向Ｙ２に延在する壁部から構成され、その先端の並び方向Ｙ２両端が弧状に切り欠かれている。第２の規制部２５Ｄは、図５に示すようにスペーサ２５が本係止位置に係止されると、３つの鍔部のうち長手方向Ｙ１のメスコネクタ２側の２つの間に挿入され、その２つの鍔部３２Ｂに係止する。
【００３９】
図１に示すように、係止アーム２５Ｅは、並び方向Ｙ２に沿って一対並べて設けられている。一対の係止アーム２５Ｅは各々、垂直方向Ｙ３に沿って延在し、その一端がベース部２５Ａに固定され、他端が自由端となる片持ち構造に構成され、並び方向Ｙ２に可撓に設けられている。
【００４０】
係止アーム２５Ｅには、先端からベース部２５Ａに向かって仮係止部２５Ｆ、仮／本係止部２５Ｇ、本係止部２５Ｈの順に並べて突設されている。仮係止部２５Ｆ、仮／本係止部２５Ｇ、本係止部２５Ｈはそれぞれ、フェルール収容部２４Ｂ内に向かって突出して設けられている。
【００４１】
次に、上述した光コネクタアセンブリ１の嵌合手順について説明する。まず、図２（Ａ）に示すように、フェルール２２、３２内にＰＯＦ２１、３１先端の芯線２１Ａ、３１Ａを挿入すると共に、フェルール２２にスリットスリーブ２３を被せる。また、図４（Ｂ）に示すように、スペーサ２５の仮係止部２５Ｆを係止孔２４Ｈに挿入すると共に、仮／本係止部２５Ｇをメスハウジング２４の垂直方向Ｙ３一方側の端部に係止させて、スペーサ２５を仮係止位置に位置付ける。この仮係止位置においては、メスハウジング２４、オスハウジング３３にフェルール２２、３２を挿入しても第１、第２の規制部２５Ｃ、２５Ｄと鍔部２２Ｂ、３２Ｂとが干渉せずにフェルール２２、３２をメスハウジング２４、３３内に挿入できる。
【００４２】
次に、メスハウジング２４にフェルール２２を収容する。詳しく説明すると、図２（Ａ）に示すように、フェルール２２をメスハウジング２４の溝部２４Ｉ（図１）に沿って長手方向Ｙ１のオスコネクタ３側に向かってスライド挿入する。これにより、フェルール２２先端のスリットスリーブ２３が、メスハウジング２４に設けられた筒壁部２４Ｋ内に挿入され、嵌め込まれる。
【００４３】
さらに、フェルール２２をスライド挿入し、フェルール２２に設けた鍔部２２Ｂが係止突起２４Ｇに達すると係止アーム２４Ｆが並び方向Ｙ２外側に撓む。係止突起２４Ｇが鍔部２２Ｂを乗り越えると、係止突起２４Ｇが３つの鍔部２２Ｂのうちオスコネクタ３側の２つの間に係止する。
【００４４】
また、オスハウジング３３にフェルール３２を収容する。詳しく説明すると、図２（Ａ）に示すように、フェルール３２をオスハウジング３３の収容孔３３Ｃ内に長手方向Ｙ１のメスコネクタ２側に向けてスライド挿入する。これにより、フェルール３２先端が、オスハウジング３３に設けられた先端収容部３３Ａに収容される。
【００４５】
さらに、フェルール３２をスライド挿入し、フェルール３２に設けた鍔部３２Ｂが係止突起３３Ｇまで達すると係止アーム３３Ｆが並び方向Ｙ２外側に撓む。係止突起３３Ｇが鍔部３２Ｂを乗り越えると、図２（Ｂ）に示すように、係止突起３３Ｇが３つの鍔部３２Ｂのうちメスコネクタ２側の２つの間に係止する。
【００４６】
また、図３（Ａ）に示すように、フェルール３２がオスハウジング３３の係止突起３３Ｇに係止する位置では、３つの鍔部３２Ｂのうちメスコネクタ２側の２つの間と、オスハウジング３３の挿入孔３３Ｈと、が垂直方向Ｙ３に沿って並べて配置される。
【００４７】
次に、メスハウジング２４とオスハウジング３３とを嵌合させる。まず、オスハウジング３３の先端収容部３３Ａをメスハウジング２４のオスコネクタ収容部２４Ａ内に挿入する。そして、オスハウジング３３を長手方向Ｙ１のメスハウジング２４側にスライドさせると、先端収容部３３Ａに設けられた収容孔３３Ｃ内にメスハウジング２４の筒壁部２４Ｋが挿入される。
【００４８】
さらに挿入させると、先端収容部３３Ａに収容されたフェルール３２の先端部が、筒壁部２４Ｋ内のスリットスリーブ２３内に挿入される。さらに挿入させて、オスコネクタ３の係止突起３３Ｅが、メスコネクタ２の係止突起２４Ｅに達すると、メスハウジング２４のオスコネクタ収容部２４Ａの一部が撓む。係止突起２４Ｅが係止突起３３Ｅを乗り越えると、図３（Ｂ）に示すように、係止突起２４Ｅと係止突起３３Ｅとが係止する。
【００４９】
このとき、３つの鍔部３２Ｂのうちメスコネクタ２側の２つの間と、オスハウジング３３の挿入孔３３Ｈと、メスハウジング２４の挿入孔２４Ｄと、が垂直方向Ｙ３に沿って並べて配置される。
【００５０】
次に、図４（Ｂ）及び（Ｃ）に示すように、スペーサ２５を垂直方向Ｙ３他方側に向けてスライドさせる。これにより、スペーサ２５の仮／本係止部２５Ｇを係止孔２４Ｈに挿入すると共に、本係止部２５Ｈをメスハウジング２４の垂直方向Ｙ３一方側の端部に係止させて、スペーサ２５を本係止位置に位置付けて、嵌合が完了する。
【００５１】
このように、スペーサ２５を仮係止位置から本係止位置にスライドさせると、図５に示すように、第１の規制部２５Ｃが、フェルール２２の３つある鍔部２２Ｂのうちオスコネクタ３側の２つの間に係止される。また、第２の規制部２５Ｄが、挿入孔２４Ｄ、３３Ｈを通ってフェルール３２の３つある鍔部３２Ｂのうちメスコネクタ２側の２つの間に係止される。この係止位置で、フェルール２２、３２先端に挿入されたＰＯＦ２１、３１の端面同士が対向して接続される。
【００５２】
上述した実施形態によれば、スペーサ２５により、フェルール２２及びフェルール３２を一括係止することにより、ＰＯＦ２１、３１が引っ張られても、ＰＯＦ２１、３１先端同士は常に一定の距離をキープできる。このため、ＰＯＦ２１、ＰＯＦ３１先端同士の接続を安定して良好に保つことができる。
【００５３】
また、上述した実施形態によれば、ベース部２５Ａから第１の規制部２５Ｃ及び第２の規制部２５Ｄを立設させるだけで、簡単な構成で第１の規制部２５Ｃ及び第２の規制部２５Ｄを設けることができる。
【００５４】
また、上述した実施形態によれば、ベース部２５Ａから係止アーム２５Ｅを立設させるだけで、簡単な構成で係止アーム２５Ｅを設けることができる。
【００５５】
なお、上述した実施形態によれば、スペーサ２５は仮係止位置、本係止位置の双方の位置でメスハウジング２４に係止されていたが、これに限ったものではない。スペーサ２５としては、本係止位置のみでメスハウジング２４に係止できるように設けられていればよい。
【００５６】
また、上述した実施形態によれば、スペーサ２５をメスハウジング２４に係止されていたが、これに限ったものではない。スペーサ２５をメスハウジング２４及びオスハウジング３３の双方に係止するようにしてもよいし、オスハウジング３３のみに係止するようにしてもよい。
【００５７】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５８】
１  光コネクタアセンブリ
２  メスコネクタ（光コネクタ）
３  オスコネクタ（相手方光コネクタ）
２１  ＰＯＦ（第１の光ファイバ）
２２  フェルール（第１のフェルール）
２４  メスハウジング（第１のハウジング）
２５  スペーサ
２５Ａ  ベース部
２５Ｃ  第１の規制部
２５Ｄ  第２の規制部
２５Ｅ  係止アーム
３１  ＰＯＦ（第２の光ファイバ）
３２  フェルール（第２のフェルール）
３３  オスハウジング（第２のハウジング）
Ｙ１  長手方向
【図１】
0006473669.tif 000002
【図２】
0006473669.tif 000003
【図３】
0006473669.tif 000004
【図４】
0006473669.tif 000005
【図５】
0006473669.tif 000006